(57)【要約】【課題】機能性シートを肌に対して押さえつけておくことができ、機能性シートが肌から浮き上がることを防止することができる押さえバンドを提供する。【解決手段】  治療や美容の機能を有する機能性シートを肌に密着させる押さえバンド１であって、伸縮性を有する弾性バンド２と、弾性バンド２の端部に設けられた複数の粘着部３と、を有するように構成した。【選択図】図１
2019110981.tif 000002
【特許請求の範囲】
【請求項１】
治療や美容の機能を有する機能性シートを肌に密着させる押さえバンドであって、
伸縮性を有する弾性バンドと、
前記弾性バンドの端部に設けられた複数の粘着部と、を有することを特徴とする機能性シートの押さえバンド。
【請求項２】
治療や美容の機能を有する機能性シートを肌に密着させる押さえバンドであって、
伸縮性を有する弾性バンドと、
前記弾性バンドの周囲に設けられた粘着部と、を有することを特徴とする機能性シートの押さえバンド。
【請求項３】
請求項１または２に記載の機能性シートの押さえバンドであって、
前記弾性バンドは帯状の形状を有し、長さ方向の中央部が幅広く形成されていることを特徴とする機能性シートの押さえバンド。
【請求項４】
請求項１または２に記載の機能性シートの押さえバンドであって、
前記弾性バンドは、中心部分から延出した端部を３つ以上有し、各端部に粘着部が設けられていることを特徴とする機能性シートの押さえバンド。
【請求項５】
請求項１または２に記載の機能性シートの押さえバンドであって、
前記弾性バンドは概略Ｔ字状の形状を有していることを特徴とする機能性シートの押さえバンド。
【請求項６】
請求項１〜５のいずれか一項に記載の機能性シートの押さえバンドであって、
前記弾性バンドは引っ張り方向と直交する方向に屈曲させたバネ部を有することを特徴とする機能性シートの押さえバンド。
【請求項７】
請求項１〜６のいずれか一項に記載の機能性シートの押さえバンドであって、
前記弾性バンドは引っ張り方向と直交する方向の線状の切り込みまたは細長孔を有することを特徴とする機能性シートの押さえバンド。
【請求項８】
請求項１〜７のいずれか一項に記載の機能性シートの押さえバンドであって、
前記弾性バンドは前記機能性シートを押さえる面に凸な突起を有していることを特徴とする機能性シートの押さえバンド。
【請求項９】
請求項１〜７のいずれか一項に記載の機能性シートの押さえバンドであって、
前記弾性バンドは、中央部分に線状の切り込みまたは細長孔を有していることを特徴とする機能性シートの押さえバンド。
【請求項１０】
請求項１〜７のいずれか一項に記載の機能性シートの押さえバンドであって、
前記弾性バンドは、中央部分に開口部を有していることを特徴とする機能性シートの押さえバンド。
【請求項１１】
請求項１〜７のいずれか一項に記載の機能性シートの押さえバンドであって、
前記弾性バンドは、中央部分に網目状に配列した複数の開口部を有していることを特徴とする機能性シートの押さえバンド。
【請求項１２】
請求項１〜１１のいずれか一項に記載の機能性シートの押さえバンドであって、
前記弾性バンドは導電性材料からなることを特徴とする機能性シートの押さえバンド。
【請求項１３】
請求項１〜１２のいずれか一項に記載の機能性シートの押さえバンドであって、
前記弾性バンドは押さえパッドを有していることを特徴とする機能性シートの押さえバンド。
【発明の詳細な説明】
【技術分野】
【０００１】
本発明は、微弱電流シート、磁気シート、湿布、膏薬、美顔マスクなど、治療や美容の機能を有する機能性シートの押さえバンドに関する。
【背景技術】
【０００２】
治療や美容を目的として、人体に有益な物質や装置をシート状に形成して人体に貼付することが広く行われている。例えば、磁石や鉱物を粘着テープで人体に貼付することが行われている（磁気シート等）。また、湿布や膏薬などの薬効成分に粘着剤を混ぜてシート状にして人体に貼付することが行われている。美容目的のものとしては、美容成分に保湿剤等を混ぜた美顔マスクを顔に貼り付けることが行われている。さらに、人体の生理活動を活性化したり、自然治癒力を高めたりするため、人体に微弱電流を流す微弱電流シートを肌に貼り付けることが行われている。
【０００３】
これらの微弱電流シート、磁気シート、湿布、膏薬、美顔マスクなど（人体に治療や美容の機能を及ぼすものをまとめて「機能性シート」という）は、シートに粘着剤を塗布して肌に固定するか（薬効成分や美容成分を粘着剤に混ぜたものを含む）、補助的な粘着テープや絆創膏やサポーターを用いて肌に固定するかの方法で肌に固定するようにしていた。
【０００４】
特許文献１には、薬剤を塗布した標準単極電位より電位が高い金属電極と、標準単極電位より電位が低い半導体電極を電気的に接続し、金属電極と半導体電極を人間の皮膚に当てて微弱電流を流す経皮投薬用素子が記載されている。
【０００５】
特許文献２には、弾力性と導電性を有する基板に圧電体を平板状に設け、その基板と圧電体を粘着シートやサポーターで人体表面に固定し、圧電体に圧力をかけて微弱電流を皮膚内に通電する微弱電流施療具が記載されている。
【０００６】
シートの形状としては様々なものが提案され、特許文献３には、基材シートに粘着剤をコーティングし、その中央部にパッドを貼着し、該基材シートに前記パッドに向かって切り込みを設けた救急絆創膏が記載されている。
【先行技術文献】
【特許文献】
【０００７】
【特許文献１】特許第２７９７１１８号公報
【特許文献２】特開２００６−３２０７０４号公報
【特許文献３】特開２００１−１４５６５５号公報
【発明の概要】
【発明が解決しようとする課題】
【０００８】
しかし、粘着剤を機能性シートに塗布し、該機能性シートを肌に固定する方法では、粘着剤が剥離すれば、機能性シートが全く機能しなくなる問題があった。特に、微弱電流シートに関しては、シートの一部でも剥離すると電池回路が切断され、シート全体が機能しなくなる問題があった。粘着剤に薬効成分や美容成分や保湿剤を含ませた機能性シートにおいても、接触しない部分は全く機能を発揮しないため、問題は全く同じである。
【０００９】
一方、補助的な粘着テープや絆創膏を用いて機能性シートを肌に固定する方法では、機能性シートを肌に対して押さえつけておくことができなかった。つまり、粘着テープや絆創膏は、機能性シートを肌に留めておくことはできるが、機能性シートが肌から浮き上がることを防止することができなかった。前述したように、特に微弱電流シートは一部でも剥離すると電池回路が切断されるため、微弱電流シートの一部が肌から浮き上がるとシート全体で機能することができなかった。
【００１０】
サポーターを用いて機能性シートを肌に押し付けておくことは可能であるが、サポーターは人体の一部を取り囲むようにして外周から押し付けるため、例えば顔のように部位によっては使用することができなかった。
【００１１】
本発明は、上記課題の少なくとも一つを解決すべくなされたものであり、機能性シートを肌に対して押さえつけておくことができる機能性シートの押さえバンドを提供することを目的とするものである。
【課題を解決するための手段】
【００１２】
上述した課題の少なくとも一つを解決するために、本発明の機能性シートの押さえバンドは、例えば、
治療や美容の機能を有する機能性シートを肌に密着させる押さえバンドであって、伸縮性を有する弾性バンドと、前記弾性バンドの端部に設けられた複数の粘着部と、を有することを特徴とする。
【００１３】
または、治療や美容の機能を有する機能性シートを肌に密着させる押さえバンドであって、伸縮性を有する弾性バンドと、前記弾性バンドの周囲に設けられた粘着部と、を有することを特徴とする。
【００１４】
前記弾性バンドは、帯状の形状を有し、長さ方向の中央部が幅広く形成されていてもよい。
【００１５】
前記弾性バンドは、中心部分から延出した端部を３つ以上有し、各端部に粘着部が設けられていてもよい。
【００１６】
前記弾性バンドは、概略Ｔ字状の形状を有していてもよい。
【００１７】
前記弾性バンドは、引っ張り方向と直交する方向に屈曲させたバネ部を有していてもよい。
【００１８】
前記弾性バンドは、引っ張り方向と直交する方向の線状の切り込みまたは細長孔を有していてもよい。
【００１９】
前記弾性バンドは、前記機能性シートを押さえる面に凸な突起を有していてもよい。
【００２０】
前記弾性バンドは、中央部分に線状の切り込みまたは細長孔を有していてもよい。
【００２１】
前記弾性バンドは、中央部分に開口部を有していてもよい。
【００２２】
前記弾性バンドは、中央部分に網目状に配列した複数の開口部を有していてもよい。
【００２３】
前記弾性バンドは、導電性材料からなっていてもよい。
【００２４】
前記弾性バンドは、押さえパッドを有していてもよい。
【発明の効果】
【００２５】
本発明によれば、伸縮性を有する弾性バンドを有することにより、機能性シートを肌に対して押さえつけておくことができ、機能性シートが肌から浮き上がることを防止することができる押さえバンドを提供することができる。
【図面の簡単な説明】
【００２６】
【図１】本発明の一実施形態による機能性シートの押さえバンドの平面図である。
【図２】本発明の一実施形態による機能性シートの押さえバンドの側面図である。
【図３】機能性シートの一例としての微弱電流シートを分解して示した斜視図である。
【図４】微弱電流シートの一例の断面図である。
【図５】微弱電流シートの導電シートの変形例の平面図である。
【図６】機能性シートの一実施形態の側面図である。
【図７】機能性シートの他の一実施形態の側面図である。
【図８】本発明の一実施形態による機能性シートの押さえバンドの平面図である。
【図９】本発明の一実施形態による機能性シートの押さえバンドの平面図である。
【図１０】本発明の一実施形態による機能性シートの押さえバンドの平面図である。
【図１１】本発明の一実施形態による機能性シートの押さえバンドの平面図である。
【図１２】本発明の一実施形態による機能性シートの押さえバンドの平面図である。
【図１３】本発明の一実施形態による押さえパッドの側面図である。
【図１４】本発明の一実施形態による機能性シートの押さえバンドの平面図である。
【図１５】本発明の一実施形態による機能性シートの押さえバンドの平面図である。
【図１６】本発明の他の実施形態による機能性シートの押さえバンドの平面図である。
【発明を実施するための形態】
【００２７】
以下に本発明の実施形態の例を、図面を用いて説明する。
【００２８】
図１、２は、本発明の一実施形態による機能性シートの押さえバンドの平面図（図１）と側面図（図２）を示している。
【００２９】
本実施形態による機能性シートの押さえバンド１は、伸縮性を有する弾性バンド２と、弾性バンド２の端部に設けられた粘着部３を有している。弾性バンド２は、伸縮性のある材料からなり、例えばゴムや伸縮性を有する織物や伸縮性を有する不織布を用いることができる。弾性バンド２は、帯状の形状を有し、長さ方向の中央部が幅広く形成されている。弾性バンド２の両端部には粘着部３が設けられている。粘着部３は、感圧性の粘着剤５と剥離紙６とを有している。粘着剤５はテープ４に塗布されている。テープ４は、弾性バンド２の端部より大きく形成され、周縁部が弾性バンド２の端部から延出している。このため、テープ４は弾性バンド２を接着するとともに、弾性バンド２の端部を肌に固定することができるようになっている。剥離紙６は、テープ４の接着面に剥離可能に接着し、使用するときに剥離させてテープ４を接着可能にする。剥離紙６を付けておくことにより、粘着部３の取扱いや保管が容易になっている。
【００３０】
図３は、機能性シートの一例としての微弱電流シートを分解して示している。なお、本発明の押さえバンドが押さえる対象はシート状のものであればよく、微弱電流シートのほか、磁気シート、湿布、膏薬、美顔マスク、有効成分を塗布したシートのいずれでもよい。
【００３１】
本例の微弱電流シート１０は、導電性を有する導電シート１１と、絶縁シート１２と、相対的に高い電位を有する正電極箔１４と、相対的に低い電位を有する負電極箔１５と、絶縁コーティング１６とを有している。絶縁シート１２は、中央部分に切り抜き部１３を有している。正電極箔１４と負電極箔１５は、細長形状を有し、正負交互に、かつ、互いに平行に配列されている。切り抜き部１３は、正電極箔１４と負電極箔１５の長さ方向と直交する細長孔になっている。正電極箔１４と負電極箔１５は、それぞれの両端が導電シート１１や絶縁シート１２の周縁部よりわずかに内側まで延在している。絶縁コーティング１６は、開口部１７を有し、その周縁部１８が正電極箔１４と負電極箔１５の両端部をシールしている。さらに、絶縁コーティング１６は、中央部分に細長形状の中央シール部１９を有し、中央シール部１９は正電極箔１４と負電極箔１５の長さ方向と直交し、絶縁シート１２の切り抜き部１３よりわずかに大きく、切り抜き部１３全体をカバーしている。
【００３２】
微弱電流シート１０は、導電シート１１と、絶縁シート１２と、正電極箔１４と負電極箔１５と、絶縁コーティング１６を図示のように重ねて一体化させている。
【００３３】
正電極箔１４と負電極箔１５は、絶縁シート１２の切り抜き部１３を通して、導電シート１１と接触し、互いに電気的に接続されている。絶縁コーティング１６の中央シール部１９は、正電極箔１４と負電極箔１５の間の導電シート１１を外部に対して絶縁するとともに、正電極箔１４と負電極箔１５のそれぞれを二つに分割し、各正電極箔１４と負電極箔１５が二つの電極部を有するようにしている。
【００３４】
導電シート１１は、導電性を有するシート状のものであればよく、アルミ板を含む金属シート、金属膜や金属シートを含む樹脂シート、導電体や導電性繊維を混入させた樹脂シート等を用いることができる。また、導電シート１１は硬さのある板状のものであっても良い。なお、正電極箔１４と負電極箔１５は、薄い金属片でも基材の上に形成した薄膜であってもよい。
【００３５】
上記構造の微弱電流シート１０を肌に当接させると、正電極箔１４と負電極箔１５が電位差を有しているため、肌を介して電池回路を形成する。すなわち、負電極箔１５からイオンが電離し、電子が導電シート１１を通して正電極箔１４に移動し、正電極箔１４と負電極箔１５に電位差が生じる。この電位差によって、皮膚の真皮層に微弱電流が流れる。この電流は微弱であるため、皮膚の表面の角質層を損傷させずに、真皮層以下の細胞組織に流れることができる。微弱電流は、細胞組織のイオン配列を整え、皮膚に対しては美容効果を有し、ツボに流れれば人体の生体活動を活性化し、病気の治癒や予防に効果を有する。
【００３６】
本実施形態の押さえバンド１を微弱電流シート１０に使用する場合、押さえバンド１の弾性バンド２を引き伸ばした状態で微弱電流シート１０に当て、粘着部３を人体の肌に固定する。弾性バンド２の弾性により、微弱電流シート１０が肌に押し当てられ、前述したように正電極箔１４と負電極箔１５と導電シート１１と人体の間で電池回路が形成され、微弱電流が流れる。弾性バンド２の伸縮性により、人体の動きや凹凸に対しても押さえバンド１が常に微弱電流シート１０を肌に押しつけることができるため、電池回路が切断されることなく、長時間微弱電流が流れるようにすることができる。
【００３７】
なお、導電シート１１の代わりに、押さえバンド１の弾性バンド２そのものを導電性材料にすることもできる。この場合、正電極箔１４と負電極箔１５と導電性の弾性バンド２と人体の間で電池回路が形成され、微弱電流が流れる。
【００３８】
導電性材料の弾性バンド２として、カーボンや金属繊維を織り込んだものや、編み込んだものを使用することができる。
【００３９】
導電シート１１は、クッション性を有するようにすることができる。図４はクッション性を有する導電シートを有する微弱電流シートを、正電極箔に沿って切断して示した断面図を示している。なお、以下の説明において、前出した部分と同一の部分には同一の符号を付して重複する説明を省略することがある。
【００４０】
図４の微弱電流シート１０ａは、クッション性を有する導電シート１１ａと、絶縁シート１２と、正電極箔１４（負電極箔１５は不図示）と、絶縁コーティング１６とを有している。導電シート１１ａは、導電性を有するゴム、ウレタン材、軟質樹脂、スポンジなどを用いて形成することができる。
【００４１】
本実施形態によれば、導電シート１１ａがクッション性を有しているため、導電シート１１ａと正電極箔１４と負電極箔１５が接触しやすく、また、押さえバンド１によって人体に押し付けられたときに凹凸に密着しやすい効果を有する。
【００４２】
図５は、導電シートの変形例の平面図を示している。この微弱電流シート１０ｂの導電シート１１ｂは、全体が弾性を有する絶縁シート２０からなり、その一部の少なくとも表面が導電部２１になっている。導電シート１１ｂの上に図３で示したような正電極箔１４と負電極箔１５を配置すると、導電部２１が正電極箔１４と負電極箔１５を電気的に接続し、導通状態になる。肌に接触したときは、肌を介して電池回路を形成することができる。
【００４３】
また、この導電シート１１ｂによれば、絶縁シート１２を省略することができる。これにより、微弱電流シートの構造を簡単化することができ、ひいては薄型化することができる。
【００４４】
図６は、本発明の一実施形態による機能性シートの側面図を示している。この機能性シート２２は微弱電流シート１０を有し、電極を有していない微弱電流シート１０の面にはクッション性を有する床板２３が備えられている。微弱電流シート１０の電極を有している面には、剥離紙２４が剥離可能に貼着されている。使用時には、剥離紙２４を剥がして微弱電流シート１０の電極面を肌に当てるようにする。この機能性シート２２は、微弱電流シート１０の電極面に粘着剤を有していないため、機能性シート２２が肌には粘着しないが、本発明の押さえバンドを用いることにより、機能性シート２２を長時間肌に密着させておくことができる。
【００４５】
なお、上記機能性シート２２は、微弱電流シート１０を有していたが、微弱電流シート１０の代わりに磁気シート、湿布、膏薬、美顔マスクなど他の機能性シートとしてもよい。
【００４６】
図７は、本実施形態の図６の機能性シートの変形例を示している。この機能性シート２２ａは、微弱電流シート１０を有し、微弱電流シート１０の電極面には保湿剤を含有する粘着剤２５が設けられている。粘着剤２５の表面にはさらに、剥離可能な剥離紙２４が設けられている。なお、微弱電流シート１０の電極を有していない面には、図６の機能性シート２２と同様に、クッション性を有する床板２３が設けられている。粘着剤２５は、導電性を有している。
【００４７】
この機能性シート２２ａは、粘着剤２５を有していることにより、粘着剤２５によって肌に接着することができる。粘着剤２５の粘着に加えて、クッション性を有する床板２３を介して、図示しない押さえバンドによって肌に押さえつけられることにより、機能性シート２２ａは肌の凹凸に密着し、長時間微弱電流を流すことができる。
【００４８】
図８は、本発明の他の実施形態の押さえバンドの平面図を示している。
【００４９】
図８の押さえバンド１ａの弾性バンド２ａは、比較的広い中心部分を有し、該中心部分から舌状に延びた４つの端部を有している。各端部には、端部を固定するための粘着部３が設けられている。粘着部３は好ましくは、各端部の周縁部から延出した部分を有し、該延出した部分に接着剤を有していることにより、肌等に固定できるようになっている。
【００５０】
なお、図８において弾性バンド２ａは、四角形の中心部分の四隅から舌状の端部が延出した形状であるが、弾性バンド２ａの形状は無論これに限られない。例えば、端部は４つに限られず、３つでも５つ以上でもよい。また、対向する端部を結ぶ線同士は互いに直交するものに限られず、対向する端部を結ぶ線同士が任意の角度で交差してもよい。さらに、端部は舌状に延出した形状に限られず、端部は任意の形状とすることができる。端部は、明確に延出した部分ではなく、弾性バンドの周縁の一部とすることができる。例えば、弾性バンドの周縁部から中心に向かって切り込みを設け、切り込みの間の部分が端部になっていてもよい。
【００５１】
弾性バンド２ａは、導電性材料で形成することができる。例えば、カーボンや金属繊維を織り込んだり、編み込んだりした弾性バンドとすることができる。
【００５２】
図８（ｂ）は、弾性バンド２ａを導電性材料で形成し、図３の機能性シートを構成した例を示している。すなわち、弾性バンド２ａが図３の導電シート１１に該当し、その下に切り抜き部１３を有する絶縁シート１２を有している。絶縁シート１２の下に、正電極箔１４と負電極箔１５が、正負交互に、かつ、互いに平行に配列されている。正電極箔１４と負電極箔１５は絶縁シート１２の切り抜き部１３を介して弾性バンド２ａに接触し、電気的に接続されている。なお、正電極箔１４と負電極箔１５の間の弾性バンド２ａの部分は図示しない絶縁コーティングによって絶縁されている。
【００５３】
図９は、本発明の他の実施形態の押さえバンドの平面図を示している。この実施形態の押さえバンド１ｂは、図８の弾性バンド２ａと同様に、弾性バンド２ｂは比較的広い中央部分を有し、該中央部分から舌状に延びた４つの端部を有している。しかし、本実施形態では、弾性バンド２ｂがその中央部分に開口部２６を有している。
【００５４】
弾性バンド２ｂの中央部分に開口部２６を有していることにより、弾性バンド２ｂを引っ張って肌等に固定したときに、弾性バンド２ｂの中央部分の周縁部がよく引っ張られ、機能性シートの周縁部を強く肌等に押し付けることができる。このため、本実施形態によれば、機能性シートの周縁部を強く肌等に押し付けることが必要な場合に有効である。
【００５５】
なお、弾性バンド２ｂの形状が図９に限られないことは、図８の弾性バンド２ａの場合と同様である。例えば、弾性バンド２ｂの中央部分の形状や、端部の数や端部の形状や、開口部２６の形状は任意である。
【００５６】
図１０は、本発明の他の実施形態の押さえバンドの平面図を示している。この実施形態の押さえバンド１ｃは、弾性バンド２ｃの中央部分に網目状に配列した複数の開口部２７を有している。網目状に配列した複数の開口部２７は、開口部が無い場合に比べれば伸縮性を有し、大きな開口部を有する弾性バンドに比べれば機能性シートを押さえる力を有している。このため、本実施形態の押さえバンド１ｃによれば、弾性バンド２ｃを引っ張って肌等に固定したときに、弾性バンド２ｃの周縁部が機能性シートを肌等に押し付け、かつ、弾性バンド２ｃの中央部分も機能性シートを適度に肌等に押し付けることができる。
【００５７】
なお、弾性バンド２ｃの形状が図１０に限られないことは、図８の弾性バンド２ａの場合や、図９の弾性バンド２ｂの場合と同様である。
【００５８】
図１１は、本発明の他の実施形態の押さえバンドの平面図を示している。この実施形態の押さえバンド１ｄは、弾性バンド２ｄの中央部分に線状の切り込みまたは細長孔２８を有している。切り込みとは、部材の一部を除去せずに、単に切り込み線のみを入れた場合を言い、細長孔とは、線状に部材の一部を除去した場合をいう。本実施形態によれば、弾性バンド２ｄの中央部分が、切り込みまたは細長孔２８が無い場合に比べれば伸縮性を有し、かつ、大きな開口部を有する場合に比べれば機能性シートを押さえる力を有している。
【００５９】
このため、本実施形態の押さえバンド１ｄによれば、弾性バンド２ｄを引っ張って肌等に固定したときに、弾性バンド２ｄの周縁部が機能性シートを肌等に押し付け、かつ、弾性バンド２ｄの中央部分も機能性シートを適度に肌等に押し付けることができる。
【００６０】
弾性バンド２ｄの形状が図１１に限られないことは、図８〜１０の弾性バンド２ａ、２ｂ、２ｃの場合と同様である。
【００６１】
図１２は、本発明の一実施形態による押さえバンドと押さえパッドの平面図を示している。
【００６２】
図１２の押さえバンド１ｅは、ほぼ十文字形状の弾性バンド２ｅを有し、十文字形状の各端部に粘着部３を有している。弾性バンド２ｅを伸長させて粘着部３を肌等に固定することにより、弾性バンド２ｅの復元力で機能性シート２９を肌等に押し付けるようにすることができる。
【００６３】
本実施形態では、弾性バンド２ｅは押さえパッド３０を有し、押さえパッド３０を介して機能性シート２９に力を作用させるようにしている。
【００６４】
図１３は、押さえパッド３０と機能性シート２９の側面を示している。機能性シート２９は、押さえパッド３０と一体化させてもよいし、押さえパッド３０に対して貼り替え可能になっていてもよい。機能性シート２９の肌等との接触面には、保湿剤等を含有させた粘着剤を塗布してもよい。
【００６５】
押さえパッド３０は、クッション性を有する弾性部材によって形成することができる。この場合、押さえパッド３０は、機能性シート２９を肌等の凹凸に密着させることができる。
【００６６】
逆に、押さえパッド３０は、ある程度の剛性を有するようにしてもよい。押さえパッド３０が剛性を有する場合、弾性バンド２ｅの押さえる力を機能性シート２９の全体に及ぼすことができる。
【００６７】
なお、図１２の例では、弾性バンド２ｅは十文字の形状、すなわち４方向に引っ張る形状にしたが、弾性バンド２ｅは複数の引っ張り方向が任意の角度で交差するようにしても良い。例えば、６方向、８方向に引っ張れるようにしても良い。
【００６８】
図１４は、本発明の一実施形態による押さえバンドの平面図を示している。本実施形態の押さえバンド１ｆは、概略Ｔ字状の形状の弾性バンド２ｆを有している。弾性バンド２ｆの各端部には粘着部３が設けられ、弾性バンド２ｆを図１４における横方向と縦方向に引っ張れるようになっている。使用するときは、まず弾性バンド２ｆをｔ１、ｔ２方向に引っ張って固定し、次に弾性バンド２ｆをｔ３方向に引っ張って固定する。
【００６９】
本実施形態の機能性シート２９ｆは、目の下や頬に好適に使用できるように、三日月形の形状を有している。なお、機能性シート２９ｆの形状は任意である。機能性シート２９ｆは、押さえパッド３０ｆを介して弾性バンド２ｆによって押さえられるようになっている。押さえパッド３０ｆは、肌に密着するようにクッション性を持たせるのが好ましい。ただし、押さえパッド３０ｆは必ず使用しなくてはならないものではない。
【００７０】
図１５は、本発明の他の実施形態による押さえバンドの平面図を示している。本実施形態の押さえバンド１ｇは、ほぼ十文字形状の弾性バンド２ｇを有し、十文字形状の各端部に粘着部３を有している。本実施形態では、押さえバンド１ｇは、押さえパッド３０ｇを介して機能性シート２９ｇを押さえるようになっている。
【００７１】
弾性バンド２ｇは、引っ張り方向と直交する方向に屈曲させたバネ部３１を有している。すなわち、バネ部３１の屈曲した山の稜線が弾性バンド２ｇの引っ張り方向と直交している。なお、図１５においては、バネ部３１は一つの山部のみからなるが、バネ部３１は複数の山と谷を有していてもよい。また、鋭角的な屈曲ではなく、曲線的な例えばＳ字状の屈曲でもよい。
【００７２】
また、弾性バンド２ｇは、機能性シート２９ｇを押さえる面に凸な突起３２を有している。図１５においては、突起３２は弾性バンド２ｇの中央部分のみに設けられているが、複数の突起３２を設けるようにしても良い。
【００７３】
さらに、弾性バンド２ｇは、引っ張り方向と直交する方向の線状の切り込みまたは細長孔３３を有している。切り込みとは、部材の一部を除去せずに、単に切り込み線のみを入れた場合を言い、細長孔とは、線状に部材の一部を除去した場合をいう。切り込みまたは細長孔３３は、弾性バンド２ｇに引っ張り方向の弾性を与えるとともに、機能性シート２９ｇや押さえパッド３０ｇや皮膚等に対する滑り止めとなる。切り込みまたは細長孔３３は、突起３２の頂面にも設けられている。
【００７４】
本実施形態によれば、弾性バンド２ｇは、ゴムや伸縮性を有する織物や伸縮性を有する不織布の他、バネ部３１や切り込みまたは細長孔３３を設けることにより樹脂等によって形成することができる。
【００７５】
本実施形態によれば、突起３２を有することにより、押さえる力が小さくなる弾性バンド２ｇの中央部分に対して、機能性シート２９ｇを押さえる力を増大させることができる。
【００７６】
図１６は、本発明の他の実施形態による押さえバンドの平面図を示している。図１６（ａ）は四角の形状を有し、図１６（ｂ）は楕円の形状を有している。
【００７７】
図１６（ａ）の押さえバンド１ｈは、四角形状の弾性バンド２ｈと、粘着部３ｈを有している。粘着部３ｈは、弾性バンド２ｈの周囲に設けられ、弾性バンド２ｈの周縁部と一部重なって貼着されている。粘着部３ｈは弾性バンド２ｈの外側に延出する部分を有して肌等に貼着できるようになっている。弾性バンド２ｈには、開口部２７ｈが複数設けられている。本実施形態の開口部２７ｈは、ほぼ十文字に配置された４つの細長形状の開口部２７になっている。開口部２７ｈにより、貼り付けたときに空気が抜け、肌表面の形状に合わせて貼り付けることが容易となる。しかし、開口部２７ｈは、その数や配置は任意であり、全く設けないようにしても良い。
【００７８】
図１６（ｂ）の押さえバンド１ｉは、楕円形状の弾性バンド２ｉと、粘着部３ｉを有している。粘着部３ｉは、弾性バンド２ｉの周囲に設けられ、弾性バンド２ｉの周縁部と一部重なって貼着されている。粘着部３ｉは弾性バンド２ｉの外側に延出する部分を有して肌等に貼着できるようになっている。弾性バンド２ｉには、開口部２７ｉが複数設けられている。本実施形態の開口部２７ｉは、楕円の長軸と短軸に沿って対向配置された二対の扇状の開口部２７ｉになっている。開口部２７ｉにより、貼り付けたときに空気が抜け、肌表面の形状に合わせて貼り付けることが容易となる。しかし、開口部２７ｉは、その数や配置は任意であり、全く設けないようにしても良い。
【００７９】
本実施形態によれば、弾性バンドの周縁部に線状の粘着部を有し、機能性シートを全方向から引っ張って肌等に押さえるようにすることができる。
【００８０】
上記の記載に基づいて、当業者であれば、本発明の追加の効果や種々の変形を想到できるかもしれないが、本発明の態様は、上述した実施形態に限定されるものではない。特許請求の範囲に規定された内容及びその均等物から導き出される本発明の概念的な思想と趣旨を逸脱しない範囲で種々の追加、変更及び部分的削除が可能である。
【符号の説明】
【００８１】
押さえバンド：１，１ａ，１ｂ，１ｃ，１ｄ，１ｅ，１ｆ，１ｇ，１ｈ，１ｉ
弾性バンド：２，２ａ，２ｂ，２ｃ，２ｄ，２ｅ，２ｆ，２ｇ，２ｈ，２ｉ
粘着部：３，３ｈ，３ｉ
テープ：４
粘着剤：５
剥離紙：６
微弱電流シート：１０，１０ａ，１０ｂ
導電シート：１１，１１ａ，１１ｂ
絶縁シート：１２
切り抜き部：１３
正電極箔：１４
負電極箔：１５
絶縁コーティング：１６
開口部：１７
周縁部：１８
中央シール部：１９
絶縁シート：２０
導電部：２１
機能性シート：２２，２２ａ
床板：２３
剥離紙：２４
粘着剤：２５
開口部：２６，２７，２７ｈ，２７ｉ
切り込みまたは細長孔：２８
機能性シート：２９，２９ｆ，２９ｇ
押さえパッド：３０，３０ｆ，３０ｇ
バネ部：３１
突起：３２
切り込みまたは細長孔：３３
【図１】
2019110981.tif 000003
【図２】
2019110981.tif 000004
【図３】
2019110981.tif 000005
【図４】
2019110981.tif 000006
【図５】
2019110981.tif 000007
【図６】
2019110981.tif 000008
【図７】
2019110981.tif 000009
【図８】
2019110981.tif 000010
【図９】
2019110981.tif 000011
【図１０】
2019110981.tif 000012
【図１１】
2019110981.tif 000013
【図１２】
2019110981.tif 000014
【図１３】
2019110981.tif 000015
【図１４】
2019110981.tif 000016
【図１５】
2019110981.tif 000017
【図１６】
2019110981.tif 000018
【手続補正書】
【提出日】平成30年8月6日(2018.8.6)
【手続補正１】
【補正対象書類名】特許請求の範囲
【補正対象項目名】全文
【補正方法】変更
【補正の内容】
【特許請求の範囲】
【請求項１】
治療や美容の機能を有する機能性シートを肌に密着させる押さえバンドであって、
伸縮性を有する弾性バンドと、
前記弾性バンドの端部に設けられた複数の粘着部と、を有し、
前記弾性バンドは、帯状の形状を有し、長さ方向の中央部が幅広く形成され、
前記粘着部は、前記弾性バンドと別体に形成されたテープと、前記テープに塗布された粘着剤とを含み、
前記粘着部は、前記弾性バンドの前記端部と重なり合う部分が前記端部より幅広く形成されて周縁部が前記端部から延出しており、
前記弾性バンドの前記端部は、前記テープ及び前記粘着剤によってうえから覆われて肌に接して固定される
ことを特徴とする機能性シートの押さえバンド。
【請求項２】
治療や美容の機能を有する機能性シートを肌に密着させる押さえバンドであって、
伸縮性を有する弾性バンドと、
前記弾性バンドの周囲を囲うように設けられた粘着部と、を有し、
前記粘着部は、前記弾性バンドと別体に形成されたテープと、前記テープに塗布された粘着剤とを含み、
前記粘着部は、前記弾性バンドの周縁部と一部重なり、且つ前記周縁部から外側に延出しており、
前記弾性バンドの前記周縁部は、前記テープ及び前記粘着剤によってうえから覆われて肌に接して固定される
ことを特徴とする機能性シートの押さえバンド。
【請求項３】
治療や美容の機能を有する機能性シートを肌に密着させる押さえバンドであって、
伸縮性を有する１つの弾性バンドと、
前記弾性バンドの端部に設けられた複数の粘着部と、を有し、
前記弾性バンドは、中心部分から延出した端部を３つ以上有し、各前記端部に前記粘着部が設けられ、
前記粘着部は、前記弾性バンドと別体に形成されたテープと、前記テープに塗布された粘着剤とを含み、
前記粘着部は、前記弾性バンドの前記端部と重なり合う部分が前記端部より幅広く形成されて周縁部が前記端部から延出しており、
前記弾性バンドの前記端部は、前記テープ及び前記粘着剤によってうえから覆われて肌に接して固定される
ことを特徴とする機能性シートの押さえバンド。
【請求項４】
治療や美容の機能を有する機能性シートを肌に密着させる押さえバンドであって、
伸縮性を有する弾性バンドと、
前記弾性バンドの端部に設けられた複数の粘着部と、を有し、
前記弾性バンドは概略Ｔ字状の形状を有して３つの端部を有し、
複数の前記粘着部には、互いに対向する方向にある２つの横方向粘着部と、横方向では２つの前記横方向粘着部の間に位置し、縦方向では２つの前記横方向粘着部と所定間隔離れた位置にある縦方向粘着部とが含まれている
ことを特徴とする機能性シートの押さえバンド。
【請求項５】
治療や美容の機能を有する機能性シートを肌に密着させる押さえバンドであって、
伸縮性を有する弾性バンドと、
前記弾性バンドの端部に設けられた複数の粘着部と、を有し、
前記弾性バンドは引っ張り方向と直交する方向に屈曲させたバネ部を有する
ことを特徴とする機能性シートの押さえバンド。
【請求項６】
請求項１、３〜５のいずれか一項に記載の機能性シートの押さえバンドであって、
前記弾性バンドは引っ張り方向と直交する方向の線状の切り込みまたは細長孔を有する
ことを特徴とする機能性シートの押さえバンド。
【請求項７】
請求項１〜６のいずれか一項に記載の機能性シートの押さえバンドであって、
前記弾性バンドは前記機能性シートを押さえる面に凸な突起を有している
ことを特徴とする機能性シートの押さえバンド。
【請求項８】
請求項１〜６のいずれか一項に記載の機能性シートの押さえバンドであって、
前記弾性バンドは、中央部分に線状の切り込みまたは細長孔を有している
ことを特徴とする機能性シートの押さえバンド。
【請求項９】
請求項１〜６のいずれか一項に記載の機能性シートの押さえバンドであって、
前記弾性バンドは、中央部分に開口部を有している
ことを特徴とする機能性シートの押さえバンド。
【請求項１０】
請求項１〜６のいずれか一項に記載の機能性シートの押さえバンドであって、
前記弾性バンドは、中央部分に網目状に配列した複数の開口部を有している
ことを特徴とする機能性シートの押さえバンド。
【請求項１１】
治療や美容の機能を有する機能性シートを肌に密着させる押さえバンドであって、
伸縮性を有する弾性バンドと、
前記弾性バンドの端部に設けられた複数の粘着部と、を有し、
前記弾性バンドは導電性材料からなる
ことを特徴とする機能性シートの押さえバンド。
【請求項１２】
請求項１〜１１のいずれか一項に記載の機能性シートの押さえバンドであって、
前記弾性バンドは押さえパッドを有している
ことを特徴とする機能性シートの押さえバンド。